(57)【要約】【課題】第１の医療用具が第２の医療用具からの荷重で押し潰されるのを確実に防止することができる医療用具収納箱および医療用具セットを提供すること。【解決手段】医療用具収納箱２は、上蓋３３ａ〜３３ｄを有し、内部空間３４内の下側の部分に第１の医療用具が収納される第１の箱体３と、内部空間３４内の第１の医療用具よりも上側の部分に収納され、その収納状態で第２の医療用具を支持する第２の箱体４と備えている。第２の箱体４は、収納状態で上蓋３３ａ〜３３ｄのうちの上蓋３３ａ、３３ｂ、３３ｄに係合する係合片４３ｂ、４３ｄを有している。【選択図】図７
2013039159.tif 000002
【特許請求の範囲】
【請求項１】
底板と、該底板の縁部から立設した側壁と、該側壁の上部に設けられた少なくとも１枚の上蓋とを有し、前記底板と前記側壁と前記上蓋とで囲まれた内部空間内の前記底板側の部分に、第１の医療用具が収納される第１の箱体と、
前記内部空間内の前記第１の医療用具よりも上側の部分に収納され、その収納状態で第２の医療用具を支持する第２の箱体とを備え、
前記第２の箱体は、前記収納状態で前記上蓋に係合する少なくとも１枚の係合片を有することを特徴とする医療用具収納箱。
【請求項２】
前記第１の箱体は、前記上蓋を複数枚有し、該複数枚の上蓋が互いに重なり合うように折り畳まれるものであり、
前記係合片は、前記互いに重なり合う複数枚の上蓋の間で挟持される請求項１に記載の医療用具収納箱。
【請求項３】
前記第１の箱体は、前記互いに重なり合う複数枚の上蓋のうちの下側に位置する上蓋に、前記第１の箱体を搬送するときに把持される把持部を有し、
前記把持部を把持して持ち上げた際に、前記互いに重なり合う複数枚の上蓋の前記係合片に対する挟持力が増加する請求項２に記載の医療用具収納箱。
【請求項４】
前記第２の箱体は、底板と、該底板の縁部から立設した側壁とを有し、該側壁の上部に折り曲げ可能に前記係合片が設けられたものである請求項１ないし３のいずれかに記載の医療用具収納箱。
【請求項５】
前記係合片は、前記折り曲げられた状態で前記上蓋に係合する請求項４に記載の医療用具収納箱。
【請求項６】
前記第２の箱体は、平面視で四角形をなすものであり、
前記係合片は、前記四角形の、少なくとも対向する２つの辺にそれぞれ配置されている請求項１ないし５のいずれかに記載の医療用具収納箱。
【請求項７】
前記第１の医療用具に装着され、前記係合片が前記上蓋に係合するまでの間、前記第２の箱体をその下側から支持する台座をさらに備える請求項１ないし６のいずれかに記載の医療用具収納箱。
【請求項８】
前記第１の医療用具および前記第２の医療用具は、それぞれ、可撓性を有する袋状の包材に包装されており、その包装された状態で前記内部空間内に収納される請求項１ないし７のいずれかに記載の医療用具収納箱。
【請求項９】
請求項１ないし８のいずれかに記載の医療用具収納箱と、
前記第１の箱体に収納される第１の医療用具と、
前記第２の箱体に支持される第２の医療用具とを備えることを特徴とする医療用具セット。
【発明の詳細な説明】
【技術分野】
【０００１】
本発明は、医療用具収納箱、および、それを備える医療用具セットに関する。
【背景技術】
【０００２】
医療用具には、例えばチューブや当該チューブに連結された人工肺を有する体外循環装置がある。このような体外循環装置は、未使用状態では、可撓性を有するバッグに包装され、さらにその包装状態で箱体に収納されている（例えば、特許文献１参照）。
【０００３】
従来、体外循環装置が収納された箱体には、さらに他の医療用具（例えば体外循環装置とともに使用される医療用具）が収納される場合があった。この場合、体外循環装置上に直にトレイを設置し、当該トレイ上に前記他の医療用具を載置することが行われていた。しかしながら、このような載置方法では、前記他の医療用具からの荷重がトレイを介して体外循環装置に掛かり、その結果、体外循環装置のチューブに凹みなどの不本意な変形が生じたり、人工肺が破損したりするおそれがあった。
【先行技術文献】
【特許文献】
【０００４】
【特許文献１】特開２００８−１４８８８１号公報
【発明の概要】
【発明が解決しようとする課題】
【０００５】
本発明の目的は、第１の医療用具が第２の医療用具からの荷重で押し潰されるのを確実に防止することができる医療用具収納箱および医療用具セットを提供することにある。
【課題を解決するための手段】
【０００６】
このような目的は、下記（１）〜（９）の本発明により達成される。
（１）  底板と、該底板の縁部から立設した側壁と、該側壁の上部に設けられた少なくとも１枚の上蓋とを有し、前記底板と前記側壁と前記上蓋とで囲まれた内部空間内の前記底板側の部分に、第１の医療用具が収納される第１の箱体と、
前記内部空間内の前記第１の医療用具よりも上側の部分に収納され、その収納状態で第２の医療用具を支持する第２の箱体とを備え、
前記第２の箱体は、前記収納状態で前記上蓋に係合する少なくとも１枚の係合片を有することを特徴とする医療用具収納箱。
【０００７】
（２）  前記第１の箱体は、前記上蓋を複数枚有し、該複数枚の上蓋が互いに重なり合うように折り畳まれるものであり、
前記係合片は、前記互いに重なり合う複数枚の上蓋の間で挟持される上記（１）に記載の医療用具収納箱。
【０００８】
（３）  前記第１の箱体は、前記互いに重なり合う複数枚の上蓋のうちの下側に位置する上蓋に、前記第１の箱体を搬送するときに把持される把持部を有し、
前記把持部を把持して持ち上げた際に、前記互いに重なり合う複数枚の上蓋の前記係合片に対する挟持力が増加する上記（２）に記載の医療用具収納箱。
【０００９】
（４）  前記第２の箱体は、底板と、該底板の縁部から立設した側壁とを有し、該側壁の上部に折り曲げ可能に前記係合片が設けられたものである上記（１）ないし（３）のいずれかに記載の医療用具収納箱。
【００１０】
（５）  前記係合片は、前記折り曲げられた状態で前記上蓋に係合する上記（４）に記載の医療用具収納箱。
【００１１】
（６）  前記第２の箱体は、平面視で四角形をなすものであり、
前記係合片は、前記四角形の、少なくとも対向する２つの辺にそれぞれ配置されている上記（１）ないし（５）のいずれかに記載の医療用具収納箱。
【００１２】
（７）  前記第１の医療用具に装着され、前記係合片が前記上蓋に係合するまでの間、前記第２の箱体をその下側から支持する台座をさらに備える上記（１）ないし（６）のいずれかに記載の医療用具収納箱。
【００１３】
（８）  前記第１の医療用具および前記第２の医療用具は、それぞれ、可撓性を有する袋状の包材に包装されており、その包装された状態で前記内部空間内に収納される上記（１）ないし（７）のいずれかに記載の医療用具収納箱。
【００１４】
（９）  上記（１）ないし（８）のいずれかに記載の医療用具収納箱と、
前記第１の箱体に収納される第１の医療用具と、
前記第２の箱体に支持される第２の医療用具とを備えることを特徴とする医療用具セット。
【００１５】
また、本発明の医療用具収納箱では、前記第２の箱体は、前記係合片が前記上蓋に係合することにより、前記第２の医療用具からの荷重が前記第１の医療用具に掛かるのを防止または抑制する機能を有するのが好ましい。
【００１６】
また、本発明の医療用具収納箱では、前記第１の医療用具および前記第２の医療用具は、それぞれ、可撓性を有するチューブを備えるのが好ましい。
【発明の効果】
【００１７】
本発明では、第２の箱体は、第２の医療用具を支持するものであるため、第２の医療用具の荷重を受ける。この荷重は、第２の箱体の下方に位置する第１の医療用具に伝わりそうであるが、係合片を介して、当該係合片に係合する第１の箱体の上蓋に伝わることとなる。このような本発明によれば、前記荷重が第１の医療用具に掛かるのを確実に防止または抑制することができ、よって、第１の医療用具が総荷重で押し潰されるのを確実に防止することができる。
【図面の簡単な説明】
【００１８】
【図１】本発明の医療用具セットの組立順序を示す斜視図である。
【図２】本発明の医療用具セットの組立順序を示す斜視図である。
【図３】本発明の医療用具セットの組立順序を示す斜視図である。
【図４】本発明の医療用具セットの組立順序を示す斜視図である。
【図５】本発明の医療用具セットの組立順序を示す斜視図である。
【図６】本発明の医療用具セットの組立順序を示す斜視図である。
【図７】図６中のＡ−Ａ線断面図である。
【図８】第１の医療用具を示す斜視図である。
【発明を実施するための形態】
【００１９】
以下、本発明の医療用具収納箱および医療用具セットを添付図面に示す好適な実施形態に基づいて詳細に説明する。
図１〜図６は、それぞれ、本発明の医療用具セットの組立順序を示す斜視図、図７は、図６中のＡ−Ａ線断面図、図８は、第１の医療用具を示す斜視図である。なお、以下では、説明の都合上、図１〜図８中の上側を「上」または「上方」、下側を「下」または「下方」と言う。また、図４〜図６は、それぞれ、部分断面斜視図であり、その断面には、ハッチングが施されている。
【００２０】
図１〜図７に示すように、医療用具セット１は、第１の医療用具１００と、第２の医療用具２００ａ、２００ｂ、２００ｃと、第１の医療用具１００と第２の医療用具２００ａ〜２００ｃとを収納する医療用具収納箱（以下単に「収納箱」と言う）２とを備えている。
【００２１】
第１の医療用具１００と、第２の医療用具２００ａ〜２００ｃとは、互いに接続されて、体外循環回路を構成するものである。
【００２２】
図１〜図３、図８に示すように、第１の医療用具１００は、静脈リザーバ（貯血槽）１０２と、人工肺１０４と、動脈フィルタ１０５と、これらを接続する可撓性を有する複数本のチューブ１０８と、保持具とを有する。
【００２３】
保持具は、静脈リザーバ１０２を保持するリザーバ保持具１１０と、人工肺１０４を保持する人工肺保持具１１１と、動脈フィルタ１０５を保持するフィルタ保持具１１２とを有し、リザーバ保持具１１０の下部に人工肺保持具１１１が連結され、リザーバ保持具１１０の側部にフィルタ保持具１１２が連結されている。
【００２４】
そして、リザーバ保持具１１０に保持された静脈リザーバ１０２と、人工肺保持具１１１に保持された人工肺１０４とが、遠心ポンプ１０１を介して、複数本のチューブ１０８のうちの１本のチューブである第１チューブ１０８ａにて接続されている。また、フィルタ保持具１１２に保持された動脈フィルタ１０５と、人工肺１０４とが、複数本のチューブ１０８のうちの１本のチューブである第２チューブ１０８ｂにて接続されている。
【００２５】
静脈リザーバ１０２には、患者からの脱血チューブを接続し得る脱血チューブ接続部１０６が設けられている。また、動脈フィルタ１０５には、送血チューブを接続し得る送血チューブ接続部１０７が設けられている。また、脱血チューブ接続部１０６および送血チューブ接続部１０７に、脱血チューブおよび送血チューブが予め接続されていてもよい。
【００２６】
このようにして第１の医療用具１００が構成されている。また、第１の医療用具１００は、図８に示すような起立した状態で使用されるものであるが、収納箱２に収納される際には傾倒した（寝かせた）状態で収納される。また、第１の医療用具１００は、収納箱２に収納される際には、各チューブ１０８がそれぞれループ状に巻回されている（図１〜図３参照）。
【００２７】
図３、図４に示すように、第２の医療用具２００ａ〜２００ｃは、それぞれ、可撓性を有するチューブ２０１を１本または複数本有している。そして、各チューブ２０１は、それぞれ、収納箱２に収納される際には、ループ状に巻回されている。
【００２８】
なお、第２の医療用具２００ａ〜２００ｃは、それぞれ、チューブ２０１の他に、サッカー（汎用吸引チップ）、ヘモコンセントレータ等の医療用具、または、それらが接続されたチューブを有するものであってもよい。
【００２９】
図１、図２に示すように、第１の医療用具１００は、未使用状態では、袋状をなす包材３００ａ、すなわち、袋体に包装されて（収納されて）いる。そして、第１の医療用具１００は、包材３００ａに包装された包装状態で収納箱２（内部空間３４内）に収納される。
【００３０】
また、図３、図４に示すように、第２の医療用具２００ａ〜２００ｃも、それぞれ、未使用状態では、袋状をなす包材３００ｂに包装されている。そして、第２の医療用具２００ａ〜２００ｃは、それぞれ、包材３００ｂに包装された包装状態で収納箱２に収納される。
【００３１】
包材３００ａと包材３００ｂとは、大きさが異なること以外は、ほぼ同じ構成であるため、以下、包材３００ａについて代表的に説明する。
【００３２】
包材３００ａは、可撓性を有し、第１の医療用具１００を収納した際、当該第１の医療用具１００の外形形状にならって変形することができる。これにより、第１の医療用具１００を容易に収納することができる。
【００３３】
この包材３００ａは、例えばその全表面積の１０％以上が滅菌ガス透過性かつ菌不透過性を有する材料で構成されているのが好ましい。滅菌ガス透過性かつ菌不透過性を有する部分（以下、この部分を「ガス透過領域３０１」と言う）の構成材料としては、特に限定されないが、例えば、ポリオレフィン等の合成樹脂材料からなる不織布等が挙げられる。
【００３４】
また、包材３００ａのガス透過領域３０１を除く部分（以下、この部分を「透明領域３０２」という）は、実質的に透明になっており、包材３００ａの内部の視認性が確保されている。これにより、包材３００ａ内の第１の医療用具１００を視認することができる。透明領域３０２の構成材料としては、特に限定されないが、例えば、ポリエチレン、ポリプロピレン、ポリアミド（ナイロン）等が挙げられる。
【００３５】
このような包材３００ａを用いることにより、包材３００ａに第１の医療用具１００を収納した状態で第１の医療用具１００を包材３００ａごとエチレンオキサイドガス（ＥＯＧ）滅菌することができ、さらに、その滅菌状態を維持することができる。
【００３６】
図２〜図７に示すように、収納箱２は、外箱である第１の箱体３と、内箱である第２の箱体（トレイ）４と、台座５および６とを備えている。第１の箱体３、第２の箱体４、台座５および６は、それぞれ、段ボールシートを適宜切断し、組み立てることにより箱状等の所定の形状に形成されたものである。
【００３７】
第１の箱体３は、第１の医療用具１００、第２の医療用具２００ａ〜２００ｃ、第２の箱体４、台座５および６を一括して収納するものである。図４〜図７に示すように、この第１の箱体３は、平面視で長方形をなす底板（第１の底板）３１と、底板３１の４つの辺（縁部）からそれぞれ立設した板状の側壁（第１の側壁）３２ａ、３２ｂ、３２ｃ、３２ｄとを有している。
【００３８】
また、第１の箱体３は、側壁３２ａの上端（上部）に設けられた板状の上蓋３３ａと、側壁３２ｂの上端に設けられた板状の上蓋３３ｂと、側壁３２ｃの上端に設けられた板状の上蓋３３ｃと、側壁３２ｄの上端に設けられた板状の上蓋３３ｄとを有している。上蓋３３ａは、側壁３２ａとの境界部に形成された折り曲げ部３３１で側壁３２ａに対し折り曲げることができる。これと同様に、上蓋３３ｂは、側壁３２ｂに対し折り曲げることができ、上蓋３３ｃは、側壁３２ｃに対し折り曲げることができ、上蓋３３ｄは、側壁３２ｄに対し折り曲げることができる。このような折り曲げにより、上蓋３３ａ〜３３ｄをそれぞれ第１の箱体３の内側に向かって順に折り畳むことができる。このとき、上蓋３３ａ〜３３ｄのうちの上蓋３３ａが最も下側に位置し（図５、図７参照）、次いで、上蓋３３ａ上に上蓋３３ｂ、３３ｄが並んで重なり（図６、図７参照）、最後に、上蓋３３ｂ、３３ｄ上に上蓋３３ｃが重なる（図７参照）。なお、折り畳まれた上蓋３３ａ、３３ｂ、３３ｄは、後述する収納状態の第２の箱体４の係合片４３ｂ、４３ｃと係合する係合用上蓋となる。
【００３９】
そして、第１の箱体３では、底板３１と、側壁３２ａ〜３２ｄと、折り畳まれた上蓋３３ａ〜３３ｄとで囲まれた内部空間３４が画成される。内部空間３４は、その底板３１側（下側）の部分が、第１の医療用具１００、台座５および６が収納される第１の空間３４１となり、残り（上側）の部分が、第２の医療用具２００ａ〜２００ｃ、第２の箱体４が収納される第２の空間３４２となる（図７参照）。
【００４０】
第１の箱体３は、当該第１の箱体３を搬送するときに把持される把持部材（把持部）３５を有している。把持部材３５は、可撓性を有する帯状の部材で構成され、その両端部がそれぞれ上蓋３３ａの中央部に係合している。なお、把持部材３５の構成材料としては、特に限定されず、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）等のような熱可塑性樹脂を用いることができる。
【００４１】
また、上蓋３３ｂ、３３ｄには、それぞれ、内側に折り畳まれた状態で把持部材３５と干渉するのを防止する逃げ部としての切欠き３３２が形成されている（図６参照）。
【００４２】
第２の箱体４は、第１の箱体３の内部空間３４の第２の空間３４２に収納された収納状態で、第２の医療用具２００ａ〜２００ｃを支持するものである。図３〜図７に示すように、この第２の箱体４は、平面視で長方形（四角形）をなす底板（第２の底板）４１と、底板４１の４つの辺（縁部）からそれぞれ立設した板状の側壁（第２の側壁）４２ａ、４２ｂ、４２ｃ、４２ｄとを有している。
【００４３】
また、第２の箱体４は、側壁４２ａ〜４２ｄのうちの底板４１の長手方向に（長辺に沿って）対向する側壁４２ｂの上端（上部）と側壁４２ｄの上端（上部）とにそれぞれ設けられた係合片（フラップ）４３ｂと係合片（フラップ）４３ｄとを有している。前述したように、係合片４３ｂ、４３ｃは、第１の箱体３の上蓋３３ａ、３３ｂ、３３ｄに係合する部分である。
【００４４】
係合片４３ｂは、側壁４２ｂとの境界部に形成された折り曲げ部４３１で側壁４２ｂに対し折り曲げることができる。これにより、係合片４３ｂを第２の箱体４の内側に向かって折り畳む（折り曲げる）ことができる。そして、図７に示すように、折り畳まれた状態の係合片４３ｂは、上蓋３３ａに確実に係合することができる。また、係合片４３ｂは、上蓋３３ａと重なり合う上蓋３３ｂとの間で挟持されている。これにより、係合片４３ｂは、折り畳まれた状態が確実に維持され、よって、不本意に外側に向かって展開するのが防止される。
【００４５】
一方、係合片４３ｄも、側壁４２ｄとの境界部に形成された折り曲げ部４３１で側壁４２ｄに対し折り曲げることができる。これにより、係合片４３ｄを第２の箱体４の内側に向かって折り畳むことができる。そして、折り畳まれた状態の係合片４３ｄも、上蓋３３ａに確実に係合することができる。また、係合片４３ｄは、上蓋３３ａと重なり合う上蓋３３ｄとの間で挟持されている。これにより、係合片４３ｄは、内側に折り畳まれた状態が確実に維持され、よって、不本意に外側に向かって展開するのが防止される。
【００４６】
ところで、図７に示すように、第２の箱体４は、第２の医療用具２００ａ〜２００ｃを支持するものであるため、第２の医療用具２００ａからの荷重と、第２の医療用具２００ｂからの荷重と、第２の医療用具２００ｃからの荷重との総和である総荷重Ｆ１を受ける。この総荷重Ｆ１は、第２の箱体４の直下に位置する第１の医療用具１００に、台座５、６を介して伝わりそうであるが、係合片４３ｂ、４３ｄを介して、当該係合片４３ｂ、４３ｄに係合する上蓋３３ａに伝わることとなる。これにより、総荷重Ｆ１が第１の医療用具１００に掛かるのを確実に防止（または抑制する）ことができ、よって、第１の医療用具１００が総荷重Ｆ１で押し潰されるのを確実に防止することができる。以下これを「潰れ防止機能」と言う。
【００４７】
第１の医療用具１００は、チューブ１０８や人工肺１０４等を有しており、例えば、チューブ１０８が総荷重Ｆ１で不本意に変形して閉塞し続いた状態となったり、人工肺１０４が総荷重Ｆ１で破損したりするのが、潰れ防止機能によって確実に防止される。これにより、第１の医療用具１００は、使用される際に好ましい状態が収納箱２内でも維持される。
【００４８】
なお、図３、図４、図７に示すように、折り畳まれた係合片４３ｂと、折り畳まれた係合片４３ｄとの間には、間隙４４が形成される。そして、間隙４４を介して第２の医療用具２００ａ〜２００ｃを重ねて、第２の箱体４の内側に収納することができる。これら収納された第２の医療用具２００ａ〜２００ｃは、第２の箱体４で支持されることとなる。
【００４９】
また、前述したように、係合片４３ｂと係合片４３ｄとは、底板４１の長手方向に対向して配置されている。これにより、係合片４３ｂと係合片４３ｄとの距離をできる限り大きく確保することができ、よって、第１の箱体３内で第２の箱体４が安定して収納される。
【００５０】
また、把持部材３５を把持して収納箱２を上方に向かって持ち上げた際に、その持ち上げた分だけ上蓋３３ａも上方に向かって持ち上がる。このとき、上蓋３３ａの上蓋３３ｂとの間で係合片４３ｂを挟持する挟持力Ｆ２が増加するとともに、上蓋３３ａの上蓋３３ｄとの間で係合片４３ｄを挟持する挟持力Ｆ３も増加する（図７参照）。これにより、係合片４３ｂ、４３ｄは、それぞれ、内側に折り畳まれた状態がより確実に維持され、よって、不本意に外側に向かって展開するのが確実に防止される。なお、各挟持力Ｆ２、Ｆ３の増加は、収納箱２を複数積み重ねることによっても可能である。
【００５１】
台座５と台座６とは、少なくとも係合片４３ｂ、４３ｄが上蓋３３ａに係合するまでの間、第２の箱体４をその下側から支持し合うものである。これにより、係合片４３ｂ、４３ｄと上蓋３３ａとを係合する係合操作を容易かつ迅速に行なうことができる。
【００５２】
台座５は、第１の医療用具１００に包材３００ａ上から装着して用いられ、台座６は、第１の医療用具１００の台座５と異なる位置に包材３００ａ上から装着して用いられる。また、台座５と台座６とは、離間して配置される。
【００５３】
台座５は、天板５１と、天板５１の下面側に設けられた装着部５２とを有している。天板５１は、第２の箱体４の下面に当接して、当該第２の箱体４を支持することができる部分である。装着部５２は、第１の医療用具１００の装着される部分（被装着部）の外形形状に対応した形状をなし、当該被装着部にはめ込むことができる。これにより、台座５を第１の医療用具１００に確実に装着することができる。
【００５４】
台座６は、天板６１と、天板６１の下面側に設けられた装着部６２とを有している。天板６１は、その大きさが天板５１の大きさと異なっており、第２の箱体４の下面に当接して、当該第２の箱体４を支持することができる部分である。装着部６２は、第１の医療用具１００の装着される部分（被装着部）の外形形状に対応した形状をなし、当該被装着部にはめ込むことができる。これにより、台座６を第１の医療用具１００に確実に装着することができる。
【００５５】
次に、医療用具セット１の組立方法の一例について、図１〜図６を参照しつつ説明する。
【００５６】
［１］  まず、図１に示すように、包材３００ａに収納された第１の医療用具１００を用意する。また、この他に、包材３００ｂに収納された第２の医療用具２００ａ〜２００ｃと、収納箱２とを用意する。なお、収納箱２は、第１の箱体３と第２の箱体４と台座５と台座６とが組み立てられておらず、分解した状態となっている。
【００５７】
［２］  次に、第１の医療用具１００を第１の箱体３内に収納し、その後、台座５、６を第１の医療用具１００の所定の箇所に相違着する。その後、第２の箱体４を台座５、６上に載置する（図３、図４参照）。このとき、第２の箱体４には、予め第２の医療用具２００ａ〜２００ｃが収納されていてもよいし、未だ第２の医療用具２００ａ〜２００が収納されていなくてもよい。後者の場合には、第２の箱体４を台座５、６上に載置した後に、第２の医療用具２００ａ〜２００ｃを収納することができる。
【００５８】
また、図４に示すように、第１の箱体３は、予め上蓋３３ａ〜３３ｄがそれぞれ外側に向かって展開した状態となっている。これにより、第１の医療用具１００や第２の箱体４を収納する作業を迅速に行なうことができる。
【００５９】
［３］  次に、図５に示すように、第２の箱体４の係合片４３ｂを矢印Ｉ方向に向かって一旦展開し、係合片４３ｄを矢印Ｉ’方向に向かって一旦展開する。次に、第１の箱体３の上蓋３３ａを矢印II方向に向かって折り畳む。次に、係合片４３ｂを矢印III方向に向かって折り畳み、係合片４３ｄを矢印III’方向に向かって折り畳む。これにより、係合片４３ｂ、４３ｄが上蓋３３ａに係合可能な状態となる。
【００６０】
［４］  次に、図６に示すように、第１の箱体３の上蓋３３ｂを矢印IV方向に向かって折り畳み、上蓋３３ｄを矢印IV’方向に向かって折り畳む。次に、上蓋３３ｃを矢印Ｖ方向に向かって折り畳む。次に、例えば粘着テープを用いて、上蓋３３ｃを側壁３２ａに対し固定する。これにより、前述したように、第２の箱体４の係合片４３ｂ、４３ｄがそれぞれ折り畳まれた状態が維持されて、第１の箱体３の上蓋３３ａに確実に係合する。この係合により、前記潰れ防止機能が発揮され、よって、第１の医療用具１００が総荷重Ｆ１で押し潰されるが確実に防止されることとなる。
【００６１】
以上、本発明の医療用具収納箱および医療用具セットを図示の実施形態について説明したが、本発明は、これに限定されるものではなく、医療用具収納箱および医療用具セットを構成する各部は、同様の機能を発揮し得る任意の構成のものと置換することができる。また、任意の構成物が付加されていてもよい。
【００６２】
また、第２の箱体での係合片の設置数は、前記実施形態では２枚であったが、これに限定されず、１枚または３枚以上であってもよい。
【００６３】
また、第２の箱体は、前記実施形態では１段であったが、これに限定されず、複数段重ねられていてもよい。
【００６４】
また、第１の医療用具と第２の医療用具とは、それぞれ、前記実施形態では体外循環回路を構成するものであったが、これに限定されず、例えば、廃棄用袋、添付文書、取扱説明書、体外循環装置以外の医療用具であってもよい。
【符号の説明】
【００６５】
１            医療用具セット
２            医療用具収納箱（収納箱）
３            第１の箱体
３１          底板（第１の底板）
３２ａ、３２ｂ、３２ｃ、３２ｄ  側壁（第１の側壁）
３３ａ、３３ｂ、３３ｃ、３３ｄ  上蓋
３３１        折り曲げ部
３３２        切欠き
３４          内部空間
３４１        第１の空間
３４２        第２の空間
３５          把持部材（把持部）
４            第２の箱体（トレイ）
４１          底板（第２の底板）
４２ａ、４２ｂ、４２ｃ、４２ｄ  側壁（第２の側壁）
４３ｂ、４３ｄ  係合片（フラップ）
４３１        折り曲げ部
４４          間隙
５            台座
５１          天板
５２          装着部
６            台座
６１          天板
６２          装着部
１００        第１の医療用具
１０１        遠心ポンプ
１０２        静脈リザーバ（貯血槽）
１０４        人工肺
１０５        動脈フィルタ
１０６        脱血チューブ接続部
１０７        送血チューブ接続部
１０８        チューブ
１０８ａ      第１チューブ
１０８ｂ      第２チューブ
１１０        リザーバ保持具
１１１        人工肺保持具
１１２        フィルタ保持具
２００ａ、２００ｂ、２００ｃ  第２の医療用具
２０１        チューブ
３００ａ、３００ｂ  包材
３０１        ガス透過領域
３０２        透明領域
Ｆ１          総荷重
Ｆ２、Ｆ３    挟持力
【図１】
2013039159.tif 000003
【図２】
2013039159.tif 000004
【図３】
2013039159.tif 000005
【図４】
2013039159.tif 000006
【図５】
2013039159.tif 000007
【図６】
2013039159.tif 000008
【図７】
2013039159.tif 000009
【図８】
2013039159.tif 000010